(57)【要約】【課題】  窓用基礎見切りの屋内側にある床下空間を効率良く換気し、屋内側に雨水が流入することを防止する。【解決手段】  掃出し窓用外壁パネル２の下端と基礎１の上端との間に床換気用間隙２２を形成する。窓用基礎見切り２３を立上片５５が掃出し窓用外壁パネル２の下端部の屋外側の面に沿うように掃出し窓用外壁パネル２の下端部に取付けて床換気用間隙２２の屋外側を覆う。水受け傾斜片５４の基礎１の上面に対向する対向部５４ａに換気孔部６１を穿設する。対向部５４ａの下面側に換気用隙間６５を介して屋外側程下方に位置するように傾斜する水排出用水受け片部６４を配設する。換気用隙間６５の屋内側の端に床換気用間隙２２に連通する連通口６５ａを形成する。換気用隙間６５の屋外側の端に屋外空間２１に連通する排水口６５ｂを形成する。【選択図】        図１
2005315003.tif 000002
【特許請求の範囲】
【請求項１】
基礎に土台金物を介して掃出し窓用開口を有する掃出し窓用外壁パネルを立設して、掃出し窓用外壁パネルの下端と基礎の上端との間に屋外空間と床下空間とを連通させる床換気用間隙を形成し、屋外側程下方に位置するように傾斜する水受け傾斜片と、該水受け傾斜片の屋内側の端から立ち上げた縦片状の立上片と、を備えた窓用基礎見切りを有し、該窓用基礎見切りを前記立上片が掃出し窓用外壁パネルの下端部の屋外側の面に沿うように掃出し窓用外壁パネルの下端部に取付けて、該窓用基礎見切りにて前記床換気用間隙の屋外側を覆い、水受け傾斜片の基礎の上面に対向する対向部に換気孔部を穿設し、前記水受け傾斜片の対向部の下面側に換気用隙間を介して屋外側程下方に位置するように傾斜する水排出用水受け片部を配設し、前記換気用隙間の屋内側の端に前記床換気用間隙に連通する連通口を形成すると共に屋外側の端に屋外空間に連通する排水口を形成して成ることを特徴とする床下換気構造。
【請求項２】
上記窓用基礎見切りを、基礎見切り本体と、該基礎見切り本体とは別体で基礎見切り本体の長手方向の端部に一端部を接続した継手部とで構成し、該継手部の他端部を上記掃出し窓用外壁パネルに隣接する壁用外壁パネルの下端と基礎の上端との間の屋外側を覆う壁用基礎見切りの長手方向の端部に接続し、継手部の水受け傾斜片の基礎の上面に対向する対向部に換気孔部を穿設し、該継手部の水受け傾斜片の対向部の下面側に上記水排出用水受け片部を配設してなることを特徴とする請求項１記載の床下換気構造。
【請求項３】
上記窓用基礎見切りを、基礎の長手方向に並べて設けた複数の基礎見切り本体と、これら基礎見切り本体の長手方向の端部同士を接続する継手部とで構成し、該継手部の水受け傾斜片の基礎の上面に対向する対向部に換気孔部を穿設し、該継手部の水受け傾斜片の対向部の下面側に上記水排出用水受け片部を配設してことを特徴とする請求項１記載の床下換気構造。
【発明の詳細な説明】
【技術分野】
【０００１】
本発明は床下換気構造に関するものである。
【背景技術】
【０００２】
従来から図８に示す建物の床下換気構造が知られている。このものは基礎１（布基礎）の平面視における外周部の一辺に屋内外方向に貫通する換気用の孔８０を穿設してあり、該孔８０により床下空間９と屋外空間２１とを連通させて床下の換気を行っている（例えば特許文献１参照）。しかし図８に示す床下換気構造にあっては基礎１に孔８０をあける必要があるため、施工が煩雑となり、また外観も悪くなる。
【０００３】
また近年では上記問題を改善するために図３に示すような床下換気構造も知られている。このものは基礎１に土台金物８を介して建物の壁を形成する壁用外壁パネル３を立設し、これにより壁用外壁パネル３の下端と基礎１の上端との間に床下空間９と屋外空間２１に連通する壁側床換気用間隙２９を形成し、壁用外壁パネル３の下端部に前記壁側床換気用間隙２９の屋外側を覆う壁用基礎見切り３０を取付け、該壁用基礎見切り３０に屋外空間２１と前記壁側床換気用間隙２９とを連通させる換気孔４２を穿設してなり、このように屋外空間２１を前記換気孔４２、壁側床換気用間隙２９を順に介して床下空間９に連通させることで床下の換気を行っている。ここで図３に示すような壁用基礎見切り３０は一般的に屋内側に凹む凹部４１の奥面に上記換気孔４２を穿設してあり、これにより上記換気孔４２から雨水が屋内側に入らないようにしている。
【０００４】
ところで建物によっては基礎１に掃出し窓用開口を有する掃出し窓用外壁パネルを上記壁用外壁パネル３に隣接して立設する場合があり、この場合にも掃出し窓用外壁パネルの下端と基礎１の上端との間を屋外側から覆う窓用基礎見切りが取付けられている。一般的な窓用基礎見切りは、屋外側程下方に位置するように傾斜する水受け傾斜片と該水受け傾斜片の屋内側の端から上方に立ち上げた窓用基礎見切りの上端部に位置する立上片とを備えており、このような窓用基礎見切りには前述した壁用基礎見切り３０のように換気用の孔が穿設されていない。これは窓用基礎見切りの水受け傾斜片に屋外空間と床下空間とを連通させる換気孔を穿設した場合、換気孔を介して屋外の雨水が屋内側に流入してしまうといった問題が生じてしまうからであるが、このように窓用基礎見切りに換気孔を穿設しない場合、窓用基礎見切りの屋内側にある床下空間を換気することができないといった問題が生じる。
【０００５】
また上記窓用基礎見切りの立上片の上下方向の中間部を屋外側に突曲して突曲片を形成し、該突曲片の下方に凹部を形成し、該凹部の奥面に換気孔を穿設することも考えられるが、このように凹部を形成することは実質的に不可能である。これは掃出し窓用外壁パネルは床の上面と掃出し窓用外壁パネルが有するサッシの下枠の上端とが略面一となるようその下端が上記壁用外壁パネル３の下端よりも下方に位置するように立設されるものであって、掃出し窓用外壁パネルの下端と基礎１の上端との間に上下寸法の充分に大きな隙間を形成することができず、従って立上片の上下寸法を前述したような中間部を屋外側に突曲できるような長さにできないからである。
【特許文献１】特開２００３−３２８４６０号公報
【発明の開示】
【発明が解決しようとする課題】
【０００６】
本発明は上記従来の問題点に鑑みて発明したものであって、窓用基礎見切りの屋内側にある床下空間を効率良く換気でき、尚且つ屋内側に雨水が流入することを防止できる床下換気構造を提供することを課題とするものである。
【課題を解決するための手段】
【０００７】
上記課題を解決するために本発明に係る床下換気構造は、基礎１に土台金物８を介して掃出し窓用開口を有する掃出し窓用外壁パネル２を立設して、掃出し窓用外壁パネル２の下端と基礎１の上端との間に屋外空間２１と床下空間９とを連通させる床換気用間隙２２を形成し、屋外側程下方に位置するように傾斜する水受け傾斜片５４と、該水受け傾斜片５４の屋内側の端から立ち上げた縦片状の立上片５５と、を備えた窓用基礎見切り２３を有し、該窓用基礎見切り２３を前記立上片５５が掃出し窓用外壁パネル２の下端部の屋外側の面に沿うように掃出し窓用外壁パネル２の下端部に取付けて、該窓用基礎見切り２３にて前記床換気用間隙２２の屋外側を覆い、水受け傾斜片５４の基礎１の上面に対向する対向部５４ａに換気孔部６１を穿設し、前記水受け傾斜片５４の対向部５４ａの下面側に換気用隙間６５を介して屋外側程下方に位置するように傾斜する水排出用水受け片部６４を配設し、前記換気用隙間６５の屋内側の端に前記床換気用間隙２２に連通する連通口６５ａを形成すると共に屋外側の端に屋外空間２１に連通する排水口６５ｂを形成して成ることを特徴とする。
【０００８】
上記構成により、屋外空間２１を、換気孔部６１、換気用隙間６５、連通口６５ａ、床換気用間隙２２を順に介して窓用基礎見切り部材２３の屋内側にある床下空間９に連通させることができて、窓用基礎見切り部材２３の屋内側にある床下空間９を換気でき、しかも上記換気孔部６１から雨水が流入してきた場合は、この雨水は水排出用水受け片部６４で受けられた後、排水口６５ｂを介して屋外空間２１に排水されることとなり、これにより雨水が屋内側に流入することを防止できる。
【０００９】
また上記窓用基礎見切り２３を、基礎見切り本体４３と、該基礎見切り本体４３とは別体で基礎見切り本体４３の長手方向の端部に一端部を接続した継手部４５とで構成し、該継手部４５の他端部を上記掃出し窓用外壁パネル２に隣接する壁用外壁パネル３の下端と基礎１の上端との間の屋外側を覆う壁用基礎見切り３０の長手方向の端部に接続し、継手部４５の水受け傾斜片５４の基礎１の上面に対向する対向部５４ａに換気孔部６１を穿設し、該継手部４５の水受け傾斜片５４の対向部５４ａの下面側に上記水排出用水受け片部６４を配設することも好ましい。
【００１０】
上記構成により窓用基礎見切り２３の長手方向における大部分を従来から利用されている単純な形状を有する窓用基礎見切りと同じ形状の基礎見切り本体４３にて構成できてコストを削減できる。
【００１１】
また上記窓用基礎見切り２３を、基礎１の長手方向に並べて設けた複数の基礎見切り本体４３と、これら基礎見切り本体４３の長手方向の端部同士を接続する継手部４５とで構成し、該継手部４５の水受け傾斜片５４の基礎１の上面に対向する対向部５４ａに換気孔部６１を穿設し、該継手部４５の水受け傾斜片５４の対向部５４ａの下面側に上記水排出用水受け片部６４を配設することも好ましい。
【００１２】
上記構成により窓用基礎見切り２３の長手方向における大部分を従来から利用されている単純な形状を有する窓用基礎見切りと同じ形状の基礎見切り本体４３にて構成できてコストを削減できる。
【発明の効果】
【００１３】
本発明では掃出し窓用外壁パネルの屋内側にある床下空間を効率良く換気でき、尚且つ屋内側に雨水が流入することを防止できる。
【発明を実施するための最良の形態】
【００１４】
以下、本発明を添付図面に示す実施形態に基いて説明する。図１〜図６に本実施形態の床下換気構造を示す。建物の外周部の下方に位置する布基礎又は基礎の外周部から立ち上げた立上げ部（以下単に基礎１と称す）の平面視における一辺には掃出し窓用開口を有する掃出し窓用外壁パネル２（図２及び図４参照）と、該掃出し窓用外壁パネル２に隣接する開口を有さない壁用外壁パネル３を（図３参照）立設している。ここで図示は省略するが本実施形態の基礎１には掃出し窓用外壁パネル２の基礎１の長手方向（即ち基礎１の外周部の平面視における一辺に沿う方向）における両側に壁用外壁パネル３を配置しているものとする。
【００１５】
まず掃出し窓用外壁パネル２の基礎１への立設構造について説明すると、図２に示すように基礎１の掃出し窓用外壁パネル２の立設箇所には換気用金物７を基礎１の長手方向に間隔を介して複数載設してあり、これら複数の換気用金物７には各換気用金物７に跨るように上記掃出し窓用外壁パネル２を支持する基礎１の長手方向から見た断面形状がＬ字状の長尺な土台金物８を基礎１の長手方向と平行に直接載設している。これにより断面Ｌ字状の土台金物８の横片８ａと基礎１の上端との間に、掃出し窓用外壁パネル２の幅方向全長に床パネル６ａ下方の床下空間９（即ち後述する窓用基礎見切り２３の屋内側にある床下空間９）に連通する換気用流路１０ａが複数形成される。ここで上記換気用金物７は、上下に離間した下横片及び上横片（図示せず）と、該下横片及び上横片を連結してなる連結縦片７ａと、からなるものであって、例えば屋内側方向から見た形状が、ロ字状、コ字状、Ｉ字状のものを用いる。
【００１６】
上記基礎１の掃出し窓用外壁パネル２の立設箇所には基礎１の長手方向と平行に床受金物４を直接載設してあり、該床受金物４は、基礎１に直接載設した載設横片４ａと、載設横片４ａの屋内側の端より基礎１の屋内側の面に沿って垂下した連結片４ｂと、連結片４ｂの下端より屋内側に突出した床受横片４ｃと、で構成されている。この床受金物４の床受横片４ｃには鋼製大引５ａを介して床を構成する床パネル６ａを載設している。ここで上記換気用金物７は基礎１に直接載設するか又は前記床受け金物４の載設横片４ａ上に直接載設しているものとする。また上記床受金物４の載設横片４ａ、換気用金物７の下横片及び上横片、更に土台金物８の横片８ａの夫々は、基礎１に植設したアンカーボルト１１の基礎１の上面から上方に突出した部分に挿通してあり、該アンカーボルト１１にナット１２を螺合することで基礎１に固定されているものとする。
【００１７】
上記土台金物８に立設してある掃出し窓用外壁パネル２は、屋内外方向から見て矩形枠状で木製の窓パネル枠１３と、屋内外方向から見て矩形枠状で中央に掃出し窓用開口を有すると共に窓パネル枠１３内に嵌め込まれたサッシ枠１４とからなり、その上端部は図示しない梁に取付けられている。サッシ枠１４内には後述するレール部１５に基礎１の長手方向において移動自在に戴置された引き違い戸となる複数枚の戸１６を嵌め込んである。サッシ枠１４の下枠であるサッシ下枠１７は、窓パネル枠１３の下枠１８の上面に載設した下枠本体１９と、下枠本体１９から上方に突出するレール部１５とで構成され、レール部１５の上端は床パネル６ａの上面と面一となっている。下枠本体１９の屋外側の部分は窓パネル枠１３の下枠１８よりも屋外側に突出しており、この突出部分１９ａの下端は窓パネル枠１３の上面よりも下方に位置している。窓パネル枠１３の下枠１８の屋内側の面には、縦片２０ａの上端部を下方に折り返してなる引掛け片２０の下半部を当接して固着しており、縦片２０ａの上端部の折り返し部２０ｂを土台金物８の縦片８ｂに上方から引っ掛けることで、掃出し窓用外壁パネル２は土台金物８に支持されている。そしてこのように土台金物８を介して掃出し窓用外壁パネル２を立設することで掃出し窓用外壁パネル２の下端と基礎１の上端との間には掃出し窓用外壁パネル２の幅方向全長に亙って床下空間９と屋外空間２１とを連通させる窓側床換気用間隙２２が形成されている。
【００１８】
上記掃出し窓用外壁パネル２の下端部には図２、図４に示すように窓側床換気用間隙２２の屋外側を覆う長尺な窓用基礎見切り２３を掃出し窓用外壁パネル２の幅方向全長に亙って取付けている。なお窓用基礎見切り２３については後に詳述する。
【００１９】
次に上記掃出し窓用外壁パネル２の両側に隣接する壁用外壁パネル３の基礎１への立設構造について説明する。図３に示すように基礎１の各壁用外壁パネル３の立設箇所には上記した基礎１の掃出し窓用外壁パネル２の立設箇所と同様、前述した床受金物４及び換気用金物７及び上記壁用外壁パネル３が支持される土台金物８を載設してあり、土台金物８の横片８ａと基礎１の上端との間に、壁用外壁パネル３の幅方向全長に床パネル６ｂ下方の床下空間９（即ち後述する壁用基礎見切り３０の屋内側にある床下空間９）に連通する換気用流路１０ｂが複数形成されている。床受金物４の載設横片４ａには鋼製大引５ｂを介して床を構成する床パネル６ｂを載設している。ここで床パネル６ｂの上面と上記床パネル６ａの上面とは面一となっているものとし、この床パネル６ａと床パネル６ｂは一枚の床パネルにより構成してあっても良いものとする。
【００２０】
上記土台金物８に立設してある壁用外壁パネル３は、屋内外方向から見て矩形枠状で木製の壁パネル枠２４と、壁パネル枠２４の屋外側の面に貼着されて屋外側から壁パネル枠２４の開口を覆う外装材２５と、壁パネル枠２４の屋内側の面に貼着されて屋内側から壁パネル枠２４の開口を覆う内装材２６と、外装材２５及び内装材２６間に配した断熱材２７とを有し、その上端部は図示しない梁に取付けられている。壁用外壁パネル３の下端である壁パネル枠２４の下枠２４ａの下面には基礎１の長手方向と平行に伸びる嵌合溝２８を形成してあり、該嵌合溝２８に断面Ｌ字状の土台金物８の縦片８ｂの上端部を嵌入することで壁用外壁パネル３は土台金物８に支持されている。これにより壁用外壁パネル３の下端と基礎１の上端との間には床パネル６ｂの下方にある床下空間９（即ち壁用外壁パネル３の屋内側にある床下空間９）と屋外空間２１とを連通させる壁側床換気用間隙２９が形成されることとなり、また掃出し窓用外壁パネル２の下端である窓パネル枠１３の下枠１８の下面は壁用外壁パネル３の下端である壁パネル枠２４の下枠２４ａの下面よりも下方に位置することとなる。
【００２１】
各壁用外壁パネル３の下端部には前記壁側床換気用間隙２９の屋外側を覆う長尺な壁用基礎見切り３０を取付けてあり、各壁用基礎見切り３０は壁用外壁パネル３の幅方向全長に亙って設けてある。各壁用基礎見切り３０は長手方向全長に亙ってその断面形状が同じであり一体に形成されている。
【００２２】
具体的に壁用基礎見切り３０は、上部を構成する水切り部３１と、下部を構成する水受け部３２とからなる。
【００２３】
水切り部３１は、屋外側に突曲した略コ字状の突曲片３３と、該突曲片３３の上横片部３３ａの屋内側の端から立ち上げた縦片状の固着片３４と、突曲片３３の下横片部３３ｂの屋内側の端から屋内側斜め下方に突出した水切り部傾斜片３５とからなる。そして壁用基礎見切り３０の上端部且つ屋内側の端部に設けた前記固着片３４を外装材２５よりも下方に突出した下枠２４ａの下部の屋外側の面に当接し、該固着片３４に屋外側から挿通したねじや釘等の固着具３６の端部を前記壁パネル枠２４の下部に固着することで、壁用基礎見切り３０は壁用外壁パネル３の下端部に基礎１の長手方向と平行に取付けられている。また突曲片３３の屋外側片部３３ｃの下端部は下横片部３３ｂよりも下方に突出しておりこの突出部分にて水切りが行われている。
【００２４】
水受け部３２は、屋外側程下方に位置するように傾斜した水受け部傾斜片３７と、水受け部傾斜片３７の屋外側の端から垂下した基礎１の屋外側の面を覆う縦片３８と、縦片３８の下部から屋内側に突出し縦片３８と基礎１の屋外側の面の間に形成された隙間を覆う横片３９とからなり、水受け部傾斜片３７の屋内側の端から立ち上げた垂上片４０の上端は前記水切り部３１の水切り部傾斜片３５の下端に接続されている。なお図３中６７は水受け部傾斜片３７と基礎１の上端との間の隙間を埋めるシール材である。
【００２５】
上記壁用基礎見切り３０には下横片部３３ｂ及び水切り部傾斜片３５及び水受け部傾斜片３７とで構成された屋内側に凹む水切り用の凹部４１を形成してあり、該凹部４１の奥面である水切り部傾斜片３５には屋内外方向に貫通する換気孔４２を複数穿設している。これにより屋外空間２１は複数の換気孔４２、壁側床換気用間隙２９、換気用流路１０ｂ、を順に介して壁用基礎見切り３０の屋内側にある床下空間９に連通することとなり、壁用基礎見切り３０の屋内側にある床下空間９を換気できるようになっている。また図５に示すように上記各壁用基礎見切り３０の後述する基礎見切り本体４３よりも上方に突出した部分（即ち水切り部３１）の窓用基礎見切り２３側の端部には該端部を覆う端部キャップ４４を取付けている。
【００２６】
次に前述した窓用基礎見切り２３について説明する。図５に示すように、窓用基礎見切り２３は窓側床換気用間隙２２の基礎１の長手方向における両端部の夫々の屋外側を覆う継手部４５と、該継手部４５とは別体で上記窓側床換気用間隙２２の基礎１の長手方向において前記継手部４５によって覆われていない中央部の屋外側を覆う長尺な基礎見切り本体４３とで構成してあり、前記継手部４５は一端部が基礎見切り本体４３の長手方向の端部に接続され、他端部が壁用基礎切り３０の長手方向の端部の水受け部３２に接続されるものである。
【００２７】
図２に示すように基礎見切り本体４３は長手方向における両端が開口しており、その断面形状は壁用基礎見切り３０の水受け部３２と略同じである。詳しくは基礎見切り本体４３の後述する立上片４６の上部を除く断面形状と水受け部３２の全ての部分の断面形状とが同じである。該基礎見切り本体４３は屋外側程下方に位置するように傾斜した水受け傾斜片４７と、水受け傾斜片４７の屋内側の端から立ち上げた縦片状の立上片４６と、水受け傾斜片４７の屋外側の端から垂下した基礎１の屋外側の面を覆う覆い縦片４８と、覆い縦片４８の下部から屋内側に突出して覆い縦片４８と基礎１の屋外側の面の間に形成された隙間を覆う覆い横片４９とで一体に形成されている。該基礎見切り本体４３は、基礎見切り本体４３の上端部で且つ屋内側の端に設けた上記立上片４６を掃出し窓用外壁パネル２の下端部である下枠１８の下部の屋外側の面に当接すると共に該立上片４６の上部に屋外側から挿通したねじや釘等の固着具６６の端部を下枠１８の下部に固着することで、掃出し窓用外壁パネル２の下端部に基礎１の長手方向と平行に取付けられている。なお図２中５０は基礎見切り本体４３の水受け傾斜片４７と基礎１の上端との間の隙間を埋めるシール材であり、また５１は下枠本体１９の下端と水受け傾斜片４７との間を埋めるシール材である。
【００２８】
上記基礎見切り本体４３と壁用基礎見切り３０との間に配された各継手部４５は図１に示すように、屋外側程下方に位置するように傾斜する水受け傾斜片５４と、水受け傾斜片５４の屋内側の端から立ち上げた立上片５５と、水受け傾斜片５４の屋外側の端から垂下した基礎１の屋外側の面の上端部を覆う覆い縦片５６と、覆い縦片５６の下部から屋内側に突出し、基礎１の屋外側の面と覆い縦片５６との間に形成された隙間６０を下側から覆う覆い横片５７とからなる。
【００２９】
図６に示すように継手部４５の壁用基礎見切り３０側の端部における壁用基礎見切り３０側の端よりもやや内側には、内方に突出した後壁用基礎見切り３０側に突出する突出片５２ａを設けてあり、これにより継手部４５の壁用基礎見切り３０側の端部に壁用基礎見切り３０側に開口する断面コ字状の壁側嵌め込み溝部５８を形成してある。また継手部４５の基礎見切り本体４３側の端部における基礎見切り本体４３側の端より内側には、内面側に突出した後基礎見切り本体４３側に突出する突出片５２ｂを設けてあり、これにより継手部４５の基礎見切り本体４３側の端部に基礎見切り本体４３側に開口する断面コ字状の窓側嵌め込み溝部５９を形成してある。
【００３０】
ここで継手部４５と壁用基礎見切り３０との接続は、継手部４５の壁用基礎見切り３０側の端部に壁用基礎見切り３０の水受け部３２の基礎見切り本体４３側の端部を内嵌し、同時に前記壁側嵌め込み溝部５８に壁用基礎見切り３０の水受け部３２の基礎見切り本体４３側の端部を嵌め込み（図６参照）、この後継手部４５と壁用基礎見切り３０の接続部分にコーキング材を充填することで行われる。また継手部４５と基礎見切り本体４３との接続も上記同様、継手部４５の基礎見切り本体４３側の端部に基礎見切り本体４３の壁用基礎見切り３０側の端部を内嵌し、同時に前記窓側嵌め込み溝部５８に基礎見切り本体４３の壁用基礎見切り３０側の端部を嵌め込み（図６参照）、この後継手部４５と基礎見切り本体４３の接続部分にコーキング材を充填することで行われる。なおこの接続状態にあっては前述した立上片５５は図１に示すように掃出し窓用外壁パネル２の下端部である下枠１８の下部の屋外側の面に沿っているものとする。
【００３１】
そして上記継手部４５の水受け傾斜片５４の基礎１の上面に対向する対向部５４ａには、図１に示すように換気孔部６１を屋内外方向に複数穿設している。各換気孔部６１は水受け傾斜片５４の対向部５４ａを上下に貫通しており、基礎１の長手方向に伸びるスリット状に形成されている。また図１に示すように各換気孔部６１の屋内側の縁部には下方に突出した後屋外側斜め下方に突出する水ガイド片６２を突設しており、また継手部４５の覆い横片５７には上下に貫通する水抜き孔６３を穿設している。
【００３２】
各継手部４５の水受け傾斜片５４の対向部５４ａの基礎１の長手方向における両端部には図６に示すように下方に突となる断面コ字状のコ字状片５３の両側片部５３ａ、５３ａの上端を接続している。そして本実施形態では該コ字状片５３の下側片部５３ｂを水排出用水受け片部６４としている。水排出用水受け片部６４は図１に示すように水受け傾斜片５４の各換気孔部６１を含む対向部５４ａの下面側に換気用隙間６５を介して配設されており、屋外側程下方に位置するように水受け傾斜片５４の傾斜角度と同じ傾斜角度で傾斜している。上記換気用隙間６５の屋内側の端に窓側床換気用間隙２２に連通する連通口６５ａを有し、また屋外側の端に屋外空間２１に連通する排水口６５ｂを有しており、連通口６５ａは窓側床換気用間隙２２に向かって開口し、排水口６５ｂは隙間６０に向かって開口している。ここで水排出用水受け片部６４の屋外側の端部は基礎１よりも屋外側に突出しており、前述した換気用隙間６５の排水口６５ｂは基礎１よりも屋外側で開口しているものとする。
【００３３】
上記のように窓用基礎見切り２３の水受け傾斜片５４に屋外空間２１と窓側床換気用間隙２２を連通させる換気孔部６１を穿設することで、屋外空間２１は、換気孔部６１、換気用隙間６５、連通口６５ａ、窓側床換気用間隙２２、換気用流路１０ａを順に介して窓用基礎見切り２３の屋内側にある床下空間９に連通することとなり、窓用基礎見切り２３の屋内側にある床下空間９を換気できる。また上記換気孔部６１は下枠本体１９の突出部分１９ａの下方に位置しているため雨水が換気孔部６１から流入し難いものとなっているのだが、風向きによっては雨水が換気孔部６１から流入してくる場合がある。しかし本発明では上記したように、水受け傾斜片５４の対向部５４ａの下面側に換気用隙間６５を介して屋外側程下方に位置するように傾斜する水排出用水受け片部６４を配設し、換気用隙間６５の屋外側の端に屋外空間２１に連通する排水口６５ｂを形成しているので、換気孔部６１から換気用隙間６５に流入した雨水は水排出用水受け片部６４によって受けられた後、屋外側に流れ、この後換気用隙間６５から排水口６５ｂを介して隙間６０に流出し、水抜き孔６３を通って屋外空間２１に排水されることとなり、これにより雨水が屋内側に流入することを防止できる。しかも前述したように各換気孔部６１の屋内側の縁部には水ガイド片６２を設けているので、換気孔部６１から流入した雨水は屋外側に流れ易くなっており、これにより一層雨水が屋内側に流入することを防止できる。さらには本実施形態では、窓用基礎見切り２３を基礎見切り本体４３と継手部４５とで構成し、該継手部４５の水受け傾斜片５４の基礎１の上面に対向する対向部５４ａに換気孔部６１を穿設し、該継手部４５の水受け傾斜片５４の対向部５４ａの下面側に水排出用水受け片部６４を配設しているので、窓用基礎見切り２３の大部分を従来から利用されている単純な形状を有する窓用基礎見切りと同じ形状の基礎見切り本体４３にて構成できてコストを削減できる。
【００３４】
なお本実施形態では基礎見切り本体４３と該基礎見切り本体４３の隣に配された壁用基礎見切り３０とを接続する継手部４５に換気孔部６１及び水排出用水受け部６４を設けた例を示したが、例えば図７に示すように上記窓用基礎見切り２３を、基礎１の長手方向に並べて設けた複数の基礎見切り本体４３と、これら基礎見切り本体４３の長手方向の端部同士を接続する継手部４５とで構成し、該継手部４５の水受け傾斜片５４の基礎１の上面に対向する対向部５４ａに換気孔部６１を穿設し、該継手部４５の水受け傾斜片５４の対向部５４ａの下面側に上記水排出用水受け片部６４を配設しても良いものとする。なお図７に示す継手部４５及び基礎見切り本体４３は上記図１の実施形態における継手部４５及び基礎見切り本体４３と同様の構成を有するものであるので説明を省略する。またこの他にも、例えば上記図１の実施形態における基礎見切り本体４３の水受け傾斜片４７の基礎１の上面に対向する対向部に換気孔部６１を穿設し、該基礎見切り本体４３に水受け傾斜片４７の下方に位置するように傾斜する水排出用水受け片部６４を設けて換気用隙間６５を形成しても良く、さらには上記基礎見切り本体４３を掃出し窓用外壁パネル２の幅方向全長に亙って設け、該基礎見切り本体４３のみで窓用基礎見切り２３を構成し、この基礎見切り本体４３の水受け傾斜片４７の基礎１の上面に対向する対向部に換気孔部６１を穿設し、該基礎見切り本体４３に水受け傾斜片４７の下方に位置するように傾斜する水排出用水受け片部６４を設けて上記換気用隙間６５を形成しても良いものとする。
【図面の簡単な説明】
【００３５】
【図１】本発明の実施の形態の一例を示し、図４のＡ部拡大図である。
【図２】同上の掃出し窓用外壁パネルの立設構造を示し、図は基礎見切り本体を設けた箇所における断面図である。
【図３】同上の壁用外壁パネルの立設構造を示す断面図である。
【図４】同上の掃出し窓用外壁パネルの立設構造を示し、図は継手部を設けた箇所における断面図である。
【図５】同上の窓用基礎見切りと壁用基礎見切りとを継手部で接続した状態を示し、図は掃出し窓用外壁パネル及び壁用外壁パネル及び基礎の図示を省略した斜視図である。
【図６】図５のＡ−Ａ′断面図である。
【図７】異なる実施の形態の一例を示し、基礎見切り本体同士と継手部との接続部分を示す斜視図である。
【図８】従来の床下換気構造を示す断面図である。
【符号の説明】
【００３６】
１  基礎
２  掃出し窓用外壁パネル
８  土台金物
９  床下空間
２１  屋外空間
２２  窓側床換気用間隙
２３  窓用基礎見切り
５４  水受け傾斜片
５４ａ  対向部
５５  立上片
６１  換気孔部
６４  水排出用水受け片部
６５  換気用隙間
６５ａ  連通口
６５ｂ  排水口
【図１】
2005315003.tif 000003
【図２】
2005315003.tif 000004
【図３】
2005315003.tif 000005
【図４】
2005315003.tif 000006
【図５】
2005315003.tif 000007
【図６】
2005315003.tif 000008
【図７】
2005315003.tif 000009
【図８】
2005315003.tif 000010